【事件の表示】
　特願２０１４−５４８８１９号「溶融性無煙タバコ組成物」拒絶査定不服審判事件〔平成２５年　６月２７日国際公開、ＷＯ２０１３／０９６４０８号、平成２７年　１月２２日国内公表、特表２０１５−５０２１７５号、請求項の数（２８）〕について、次のとおり審決する。
【結　論】
　原査定を取り消す。
　本願の発明は、特許すべきものとする。
【理　由】
第１　手続の経緯
　本件出願は、２０１２年１２月１９日（パリ条約による優先権主張外国庁受理：２０１１年１２月２０日，米国）を国際出願日とする出願であって、平成２８年９月７日付けで拒絶理由通知がされ、平成２９年３月９日に意見書が提出され、平成２９年７月３日付けで拒絶査定（原査定）がされ、これに対し、平成２９年１１月１３日に拒絶査定不服審判の請求がされると同時に手続補正書が提出され、平成２９年１２月１８日に審判請求書に対する手続補正書が提出され、平成３０年７月２７日付けで拒絶理由通知（以下、「当審拒絶理由通知」という。）がされ、平成３０年１０月３１日に意見書が提出されたものである。
第２　原査定の概要
　原査定（平成２９年７月３日付け拒絶査定）の概要は次のとおりである。
　本件出願の請求項１〜２８に係る発明は、特表２０１１−５０４７３３号公報（以下、「引用文献１」という。）に基いて、その発明の属する技術の分野における通常の知識を有する者（以下、「当業者」という。）が容易に発明できたものであるから、特許法第２９条第２項の規定により特許を受けることができない。
第３　当審拒絶理由の概要
　当審拒絶理由の概要は次のとおりである。
１．本件出願の請求項１、２に係る発明は、その出願日前の下記の出願（以下、「先願」という。）の請求項４に係る発明と同一であるから、特許法第３９条第１項の規定により特許を受けることができない。
２．本件出願の請求項６に係る発明、請求項７に係る発明、請求項８に係る発明、請求項９〜１１、１６、１８に係る発明、請求項１２に係る発明、請求項１４に係る発明、請求項１５に係る発明は、それぞれ、先願の請求項２に係る発明、請求項３に係る発明、請求項６に係る発明、請求項１０に係る発明、請求項９に係る発明、請求項１２に係る発明、請求項１３に係る発明と同一であるから、特許法第３９条第１項の規定により特許を受けることができない。
３．本件出願の請求項２０に係る発明、請求項２１に係る発明、請求項２３に係る発明、請求項２４に係る発明は、それぞれ、先願の請求項１４に係る発明、請求項１８に係る発明、請求項２３に係る発明、請求項１４に係る発明と同一であるから、特許法第３９条第１項の規定により特許を受けることができない。
（先願）特願２０１３−５２４１６７号（パリ条約による優先権主張２０１０年８月１１日。特許第５９３１８７０号公報参照。）
第４　本願発明
　本件出願の請求項１〜２８に係る発明（以下、それぞれ「本願発明１」〜「本願発明２８」という。）は、平成２９年１１月１３日付けの手続補正で補正された特許請求の範囲の請求項１〜２８に記載された事項により特定される発明であり、本願発明１〜２８は以下のとおりの発明である。
　「【請求項１】
　使用者の口の中へ挿入するように構成され、前記口の中で液化することが可能である、溶融可能な無煙タバコ組成物であって、前記タバコ組成物が、タバコ抽出物と、２９℃〜４９℃の融点を有する少なくとも３０乾燥重量％の脂質とを含有する、無煙タバコ組成物。
　【請求項２】
　前記タバコ抽出物は、噴霧乾燥又は凍結乾燥した粒子状形態の水性タバコ抽出物である、請求項１に記載の無煙タバコ組成物。
　【請求項３】
　前記タバコ抽出物が、噴霧乾燥又は凍結乾燥したタバコ抽出物粒子、及び第二の噴霧乾燥又は凍結乾燥した粒状材料の粒状混合物の形態である、請求項１に記載の無煙タバコ組成物。
　【請求項４】
　前記第二の粒状材料が、マルトデキストリン、シクロデキストリン及び天然ゴムから成る群から選択される、充填剤又は結合剤材料である、請求項３に記載の無煙タバコ組成物。
　【請求項５】
　タバコ抽出物対第二の粒状材料の重量比が、７：１〜１：１である、請求項３に記載の無煙タバコ組成物。
　【請求項６】
　前記脂質が、３６℃〜４５℃の融点を有する、請求項１〜５のいずれか一項に記載の無煙タバコ組成物。
　【請求項７】
　前記脂質が、３８℃〜４１℃の融点を有する、請求項１〜５のいずれか一項に記載の無煙タバコ組成物。
　【請求項８】
　前記脂質が、パーム核油及びパーム油のブレンドを含む、請求項１〜５のいずれか一項に記載の無煙タバコ組成物。
　【請求項９】
　糖アルコールを更に含む、請求項１〜５のいずれか一項に記載の無煙タバコ組成物。
　【請求項１０】
　前記組成物の全重量に基づいて、少なくとも２０乾燥重量％の量で糖アルコールを含む、請求項９に記載の無煙タバコ組成物。
　【請求項１１】
　前記組成物の全重量に基づいて、少なくとも４０乾燥重量％の量で糖アルコールを含む、請求項１０に記載の無煙タバコ組成物。
　【請求項１２】
　前記糖アルコールがイソマルトである、請求項９に記載の無煙タバコ組成物。
　【請求項１３】
　粒子状タバコ材料の形態の第二のタバコ材料を更に含む、請求項１〜５のいずれか一項に記載の無煙タバコ組成物。
　【請求項１４】
　前記組成物の全重量に基づいて、
　少なくとも２乾燥重量％のタバコ抽出物と、
　少なくとも０．１乾燥重量％の少なくとも一種の甘味料と、
　少なくとも３０乾燥重量％の少なくとも一種の充填剤と、
　少なくとも０．５乾燥重量％の少なくとも一種の風味料と
を含む、請求項１に記載の無煙タバコ組成物。
　【請求項１５】
　前記無煙タバコ組成物の全乾燥重量に基づいて、
　２〜１０乾燥重量％のタバコ抽出物と、
　３０〜５０乾燥重量％の脂質と、
　０．１〜１乾燥重量％の人工甘味料と、
　３０〜６０乾燥重量％の充填剤と、
　最大５乾燥重量％の量の風味料と、
　最大１０乾燥重量％の量の塩化ナトリウムと
を含む、請求項１に記載の無煙タバコ組成物。
　【請求項１６】
　前記充填剤が糖アルコールを含む、請求項１４〜１５のいずれか一項に記載の無煙タバコ組成物。
　【請求項１７】
　レシチンを更に含む、請求項１〜５のいずれか一項に記載の無煙タバコ組成物。
　【請求項１８】
　少なくとも２０乾燥重量％の量の糖アルコール及び少なくとも３０乾燥重量％の量の脂質を含む、請求項１〜５のいずれか一項に記載の無煙タバコ組成物。
　【請求項１９】
　粉砕されたタバコ材料を更に含む、請求項１８に記載の無煙タバコ組成物。
　【請求項２０】
　２９℃〜４９℃の融点を有する脂質を溶融して、溶融した脂質組成物を形成することと、
　前記溶融した脂質組成物とタバコ抽出物を混合して、溶融した無煙タバコ組成物を形成することと、
　前記溶融した無煙タバコ組成物を冷却して、固形化した無煙タバコ組成物を形成することと
を含む、使用者の口の中に挿入するために構成された溶融性無煙タバコ組成物を調製するためのプロセス。
　【請求項２１】
　前記脂質が、パーム核油及びパーム油のブレンドを含む、請求項２０に記載のプロセス。
　【請求項２２】
　一つ以上の塩及び糖アルコールと、前記溶融した脂質組成物とを混合する工程を更に含む、請求項２０に記載のプロセス。
　【請求項２３】
　前記溶融した無煙タバコ組成物を所定の形状へ形成するように、鋳型中に前記溶融した無煙タバコ組成物を堆積する工程を更に含む、請求項２０に記載のプロセス。
　【請求項２４】
　前記タバコ抽出物が、噴霧乾燥又は凍結乾燥した粒子状形態の水性タバコ抽出物である、請求項２０に記載のプロセス。
　【請求項２５】
　前記タバコ抽出物が、噴霧乾燥又は凍結乾燥したタバコ抽出物粒子、及び第二の噴霧乾燥又は凍結乾燥した粒状材料の粒状混合物の形態である、請求項２４に記載のプロセス。
　【請求項２６】
　前記第二の粒状材料が、マルトデキストリン、シクロデキストリン及び天然ゴムから成る群から選択される、充填剤又は結合剤材料である、請求項２５に記載のプロセス。
　【請求項２７】
　前記水性タバコ抽出物を、少なくとも１８重量％の固形含有量を有する混合物を提供するのに十分な量の前記第二の粒状材料と混合し、その後、混合物を噴霧乾燥又は凍結乾燥に供して乾燥粒状材料を形成することにより、前記タバコ抽出物及び前記第二の粒状材料の噴霧乾燥又は凍結乾燥した混合物を調製する工程を更に含む、請求項２５に記載のプロセス。
　【請求項２８】
　前記乾燥粒状材料中のタバコ抽出物と第二の粒状材料との重量比が、７：１〜１：１である、請求項２７に記載のプロセス。」
第５　当審拒絶理由について
１．先願発明
　先願の請求項１〜２３に係る発明は、その特許請求の範囲の請求項１〜２３に記載された事項により特定される次のとおりのものである（以下、「先願発明１」〜「先願発明２３」という。）。
　「【請求項１】
　使用者の口の中に挿入するよう形成した、口の中で液化することができる溶融可能な無煙タバコ組成物であって、前記タバコは、粒子状タバコ材料および少なくとも１０乾燥重量％の２９℃〜４９℃の融点を有する脂質を含む、溶融可能な無煙タバコ組成物。
　【請求項２】
　前記脂質が３６℃〜４５℃の融点を有する、請求項１に記載の組成物。
　【請求項３】
　前記脂質が３８℃〜４１℃の融点を有する、請求項２に記載の組成物。
　【請求項４】
　前記脂質が少なくとも３０乾燥重量％の量で存在する、請求項１に記載の組成物。
　【請求項５】
　前記脂質が１４〜２０個の炭素原子の炭素長を有する複数の飽和または不飽和脂肪酸鎖を含む植物由来脂肪である、請求項１に記載の組成物。
　【請求項６】
　前記脂質がパーム核油およびパーム油のブレンドを含む、請求項１に記載の組成物。
　【請求項７】
　香味剤、結合剤、充填剤、崩壊助剤、湿潤剤およびこれらの混合物からなる群から選択される添加剤をさらに含む、請求項１に記載の組成物。
　【請求項８】
　充填剤、人口甘味剤、香味剤および塩をさらに含む、請求項１に記載の組成物。
　【請求項９】
　前記充填剤がイソマルトである、請求項８に記載の組成物。
　【請求項１０】
　少なくとも２０乾燥重量％の量で存在する糖アルコールの形態の充填剤をさらに含む、請求項１に記載の組成物。
　【請求項１１】
　前記タバコ材料が５０ミクロン未満の平均粒径を有する粒子状タバコ材料を含む、請求項１に記載の組成物。
　【請求項１２】
　組成物の総重量基準で少なくとも２５乾燥重量％の粒子状タバコ材料と、
　少なくとも１０乾燥重量％の脂質と、
　少なくとも０．１乾燥重量％の少なくとも１種の甘味剤と、
　少なくとも２０乾燥重量％の少なくとも１種の充填剤と、
　少なくとも０．５乾燥重量％の少なくとも１種の香味剤と、
を含む、請求項１に記載の組成物。
　【請求項１３】
　無煙タバコ組成物の総乾燥重量基準で２５〜４５％の粒子状タバコ材料と、
　１０〜５０％の脂質と、
　０〜１％の人工甘味剤と、
　２０〜４０％の充填剤と、
　最大１０％までの量の香味剤と、
　最大５％までの量の塩と、
を含む、請求項１に記載の組成物。
　【請求項１４】
　使用者の口の中に挿入するよう形成した、口の中で液化することができる溶融可能な無煙タバコ組成物を調製する方法であって、
　２９℃〜４９℃の融点を有する脂質を溶かして溶融した脂質組成物を形成することと、
　粒子状タバコ材料を前記溶融した脂質組成物と混合して溶融した無煙タバコ組成物スラリーを形成することと、
　前記溶融した無煙タバコ組成物スラリーを冷却して凝固した無煙タバコ組成物を形成することと、
を含む、方法。
　【請求項１５】
　前記脂質が３６℃〜４５℃の融点を有する、請求項１４に記載の方法。
　【請求項１６】
　前記脂質が３８℃〜４１℃の融点を有する、請求項１５に記載の方法。
　【請求項１７】
　前記脂質が１４〜２０個の炭素原子の炭素長を有する複数の飽和または不飽和脂肪酸鎖を含む植物由来脂肪である、請求項１４に記載の方法。
　【請求項１８】
　前記脂質がパーム核油およびパーム油のブレンドを含む、請求項１４に記載の方法。
　【請求項１９】
　前記混合ステップの前に塩を前記タバコ材料に添加するステップをさらに含む、請求項１４に記載の方法。
　【請求項２０】
　前記混合ステップの前に香味剤、結合剤、充填剤、崩壊助剤、湿潤剤およびこれらの混合物からなる群から選択される添加剤を前記タバコ材料に添加するステップをさらに含む、請求項１４に記載の方法。
　【請求項２１】
　前記添加剤が糖アルコールを含む充填剤である、請求項２０に記載の方法。
　【請求項２２】
　前記タバコ材料を前記溶融した脂質組成物と混合するステップが、６％未満の水分含量を有する粒子状タバコ材料を前記溶融した脂質組成物と混合するステップを含む、請求項１４に記載の方法。
　【請求項２３】
　前記溶融した無煙タバコ組成物スラリーを所定の形状に形成するために前記溶融した無煙タバコ組成物スラリーを型に堆積させるステップをさらに含む、請求項１４に記載の方法。」
２．本願発明１、２について
（１）対比
　本願発明１と、先願発明４を対比すると、本願発明１の前記タバコ組成物が「タバコ抽出物」を含有するのに対して、先願発明４の前記タバコが「粒子状タバコ材料」を含有する点で相違する。
　そして、本願発明１の「タバコ抽出物」について、本件出願の明細書の段落００２８の「タバコ組成物又は製品中で用いられるタバコ材料の少なくとも一部（例えば、タバコ成分）は、抽出物の形態を有してもよい。蒸留水又は水道水などの水性特性を有する溶媒を用いてタバコを抽出することにより、タバコ抽出物を得ることができる。そのようにして、水性タバコ抽出物を、水でタバコを抽出することによって提供することができ、その結果、水不溶性パルプ物質は、水性溶媒から分離され、水溶性及び分散性タバコ成分がその中に溶解し、分散される。・・・」等の記載を参酌すれば、当該「タバコ抽出物」とは、少なくとも溶媒を用いてタバコを抽出することにより得られるものと解される。
　一方、先願発明４の「粒子状タバコ材料」とは、先願明細書の段落００２６の「タバコ材料は、典型的には粒子状（すなわち、刻み、粉砕、顆粒化または粉末形態）として記載することができる形態で使用される。タバコ材料を微粒子状または粉末型の形態で提供する様式は変化し得る。」等の記載を参酌すれば、少なくとも刻み、粉砕、顆粒化または粉末形態として記載することができる形態で使用されるものと解されるから、上記本願発明１の「タバコ抽出物」とは実質的に異なるものである。
　以上のことから、本願発明１は、先願発明４と同一とはいえない。
　また、本願発明２も、本願発明１の「タバコ抽出物」と同一の構成を備えるものであるから、同様に、先願発明４と同一とはいえない。
３．本願発明６〜１２、１４〜１６、１８について
　本願発明１を直接的に又は間接的に引用する本願発明６〜１２、１４〜１６、１８も、本願発明１と同一の構成を備えるものであり、先願発明２、３、６、９、１０、１２、１３のいずれの発明も本願発明１の上記「タバコ抽出物」を備えていないから、本願発明１と同じ理由により、本願発明６と先願発明２、本願発明７と先願発明３、本願発明８と先願発明６、本願発明９〜１１、１６、１８と先願発明１０、本願発明１２と先願発明９、本願発明１４と先願発明１２、本願発明１５と先願発明１３は、いずれも同一とはいえない。
４．本願発明２０、２１、２３、２４について
　本願発明２０、２１、２３、２４も、「タバコ抽出物」との構成を備えるものであり、先願発明１４、１８、２３は、「粒子状タバコ材料」を備えるものであって、本願発明２０、２１、２３、２４の上記「タバコ抽出物」を備えていないから、本願発明１と同様の理由により、本願発明２０と先願発明１４、本願発明２１と先願発明１８、本願発明２３と先願発明２３、本願発明２４と先願発明１４は、いずれも同一とはいえない。
第６　原査定についての判断
１．引用文献１について
　原査定の拒絶の理由に引用された上記引用文献１（特表２０１１−５０４７３３号公報）には、図面とともに次の事項が記載されている（なお、下線は理解の一助のために当審が付与した。）。
１ａ）「【補正の内容】
【特許請求の範囲】
【請求項１】
　
経口摂取のための溶解可能圧縮タバコ製品
　（ａ）３０重量％から５０重量％の少なくとも１つのタバコ成分、
　（ｂ）１重量％から１５重量％の少なくとも１つの香味料、
　（ｃ）５重量％から３５重量％の少なくとも１つの充填剤−結合剤、
　（ｄ）１重量％から３重量％の少なくとも１つの甘味料、
　（ｅ）１重量％未満の少なくとも１つの潤滑剤、
　（ｆ）少なくとも１つの乾燥剤、
　（ｇ）１重量％未満の少なくとも１つの流動促進剤、及び
　（ｈ）
少なくとも１つの脂質
　を含む組成物から形成される、
　ことを特徴とする製品。
【請求項２】
　前記少なくとも１つの脂質は、圧縮タバコ製品マトリックス内に注入されることを特徴とする請求項１に記載の圧縮タバコ製品。
【請求項３】
　前記少なくとも１つの脂質は、圧縮タバコ製品の表面上にシェルコーティングを形成することを特徴とする請求項１に記載の圧縮タバコ製品。
・・・
【請求項６】
　溶解可能圧縮タバコ製品を作る方法であって、
　（ａ）粉砕または粉末状の少なくとも１つのタバコ成分、少なくとも１つの香味料、少なくとも１つの充填剤−結合剤、少なくとも１つの甘味料、少なくとも１つの潤滑剤、少なくとも１つの乾燥剤、及び少なくとも１つの流動促進剤の混合物を形成する段階、
　（ｂ）前記混合物をダイに圧縮して圧縮タバコ製品を形成する段階、及び、
　（ｃ）前記圧縮タバコ製品に
少なくとも１つの脂質を注入する段階
【請求項７】
　少なくとも１つの脂質を含むシェルコーティングを前記圧縮タバコ製品の表面上に形成する段階を更に含むことを特徴とする請求項６に記載の方法。
【請求項８】
　前記圧縮タバコ製品に少なくとも１つの脂質を注入する前記段階は、該少なくとも１つの脂質を含有する油浴に該圧縮タバコ製品を置く段階と、該圧縮タバコ製品の割れ目空間を該少なくとも１つの脂質で充填する段階と、該圧縮タバコ製品を加熱する段階とを含むことを特徴とする請求項６に記載の方法。
【請求項９】
　前記圧縮タバコ製品に少なくとも１つの脂質を注入する前記段階は、
粉末状タバコ積層体と少なくとも１つの脂質とを含む混合物を形成する段階と、粉末状タバコ積層体と少なくとも１つの脂質との該混合物を加熱する段階と、該加熱した混合物を段階（ａ）の前記混合物に追加する段階とを含む
１ｂ）「【００１０】
　更に別の形態では、
タバコ成分は、粉砕又は粉末状タバコ（例えば、粉砕又は粉末状積層体又はステム又はこれらの組合せ）及びタバコ抽出物のうちの一方又は両方を含む
１ｃ）「【００２８】
　圧縮タバコ製品はまた、１つ又はそれよりも多くの脂質を含むことができる。脂質は、広く脂溶性の天然素材の分子として定めることができ、
脂肪、油、ワックス、コレステロール、ステロール、脂溶性ビタミン、モノグリセリド、ジグリセリド、トリグリセリド、及びリン脂質などを含む
【００２９】
　１つの形態では、圧縮タバコ製品は、
熱帯油、バター、植物油、ショートニング及びスクロースポリエステルのような非栄養合成物質から選択された１つ又はそれよりも多くの脂質を含む
　１つの形態では、圧縮タバコ製品は、
ヤシ油、ココナツ油のような他の熱帯油、又はこれらの組合せを含む
パーム核油
１ｄ）「【００４３】
　
別の形態では、タバコの量は、望ましいタバコ香味を与える重量で約４０％である。
　別の形態では、タバコ成分は、粉砕又は粉末状タバコ及び任意的にタバコ抽出物を含む
１ｅ）「【００４５】
　タバコ配合及び処理段階は、以下の通り行うことができる。最初に、タバコ配合物が形成される。上述のように、タバコは、Ｂｒｉｇｈｔ、Ｂｕｒｌｅｙ、「Ｄａｒｋ  Ａｉｒ  Ｃｕｒｅｄ」、又はＯｒｉｅｎｔａｌタバコの配合物を含むことができ、又は上述のタバコの単一種を配合物の代わりに用いることができる。タバコは、硬化してもよいし硬化しなくてもよいが、硬化タバコが好ましい。タバコ成分は、タバコ積層体及びステムの一方又は両方を含むことができ、粉砕改良ステムを含むことができる。」
１ｆ）「【００４７】
　粉砕段階後に、タバコ成分は、あらゆる好ましい技術によって加熱する（半殺菌する）ことができる。例えば、タバコ成分は、高圧、熱及び蒸気の一方又は両方によって加熱することができる。１つの形態では、加熱段階は、約１から約２時間の間約１７０°Ｆから約１９０°Ｆ（約７７℃から約８８℃）の温度で行われる。他の加熱技術を用いることもできる。加熱の後に、タバコ成分は、必要になるまで室温で又はほぼ室温で保存することができる。１つの形態では、脂質注入は、加熱段階の前に粉末状タバコ積層体及び少なくとも１つの脂質を含む混合物を形成することにより、並びに粉末状タバコ積層体及び少なくとも１つの脂質の混合物を加熱することによって達成される。任意的なｐＨ調整剤を加熱段階前に混合物に追加することができる。加熱混合物は、次に、以下に説明する成分の初期製剤に用いることができる。
【００４８】
  １つの形態では、タバコ成分は、少なくとも１つの充填剤−結合剤、少なくとも１つの香味料、少なくとも１つの潤滑剤、及び少なくとも１つの流動促進剤を含む成分の初期製剤と乾燥配合される。」
１ｇ）「【００５６】
  １つの形態では、
押圧作動後に、圧縮タバコ製品は、熱い脂質混合物を含有する油浴に置くことができる
１ｈ）「【００５７】
　注入段階の後に、圧縮タバコ製品は、加熱段階を受けて、液化脂質が毛管作用を通じてタブレット間隙に均等に堆積することを可能にする。加熱は、多数の方法で達成することができる。１つの形態では、加熱段階は、約３０℃から約７０℃、又は約４０℃から約６０℃、又は約４５℃から約５５℃の温度で維持されたオーブンで行われる。圧縮タバコ製品は、水分の低レベル（約５％未満）を達成するように、約５分から約２５分、又は約１０分から約２０分までの間オーブンに残る。オーブン加熱段階の後に、圧縮タバコ製品は、冷却してもよい。別の形態では、加熱段階を省略して、注入後冷却を室温で行う。このようにして冷却する時に、この脂質混合は、それ程深くは浸透することなく、
その代わりにタバコマトリックスの表面上に魅力的で薄い滑らかなシェルを形成する
１ｉ）「【００５９】
　
タブレットが冷えて脂質が固化すると、溶解物質は、圧縮タバコ製品が口中に置かれるまでここで固体脂質と共に残る
口中で脂質が融解した状態
疎水性香味油は、直接注入脂質配合物に追加するか注入後にスプレーすることができる
【００６０】
　他の形態では、脂質マトリックスは、スプレーを通じて又はカスケードコーティングを通じて加熱パン被覆機を用いて単一コーティングとして圧縮後に追加することができる。タバコ固体、香味、又はこれらの組合せは、コーティング脂質に追加して、容易に口中融解タバコ香味シェルを形成することができる。」
１ｊ）「【００８９】
　製品試験は、脂質注入圧縮タバコ製品が、香味及びテクスチャ特質の改良をもたらすことを示している。
更に、よりきれいで滑らかな溶解特性が、口中で達成される
　以上の記載を総合すると、引用文献１には、以下の２つの発明（物の発明と、方法の発明）が記載されていると認められる。
（引用発明Ａ）
　「経口摂取のための溶解可能圧縮タバコ製品を形成する組成物であって、
　タバコ成分及び少なくとも１つの脂質を含み、
　前記タバコ成分がタバコ抽出物を含む、
　溶解特性が口中で達成される溶解可能圧縮タバコ製品を形成する組成物。」
（引用発明Ｂ）
　「経口摂取のための溶解可能圧縮タバコ製品を形成する組成物の製造方法であって、
  粉砕または粉末状の少なくとも１つのタバコ成分を含む混合物（ａ）を圧縮して形成された圧縮タバコ製品に、少なくとも１つの脂質を注入する段階を含み、
　前記注入の段階とは、加熱段階の前に粉末状タバコ積層体及び少なくとも１つの脂質を含む混合物を形成して、当該混合物を加熱する段階と、前記混合物（ａ）は、加熱した当該混合物と乾燥配合される段階とを含むものであって、
　前記注入の段階を経て得られた配合物は冷却された後、前記組成物を形成する段階を含み、
　前記タバコ成分はタバコ抽出物を含む、方法。」
２．対比・判断
（１）本願発明１について
　ア　対比
　本願発明１と引用発明Ａとを対比すると、次のことがいえる。
　引用発明Ａにおける「経口摂取のための溶解可能圧縮タバコ製品を形成する組成物」、「脂質」、「タバコ抽出物」は、本願発明１における「使用者の口の中へ挿入するように構成され、前記口の中で液化することが可能である、溶融可能な無煙タバコ組成物」、「脂質」、「タバコ抽出物」にそれぞれ相当する。
　そうすると、本願発明１と引用発明Ａとの間には、次の一致点、相違点があるといえる。
（一致点）
　「使用者の口の中へ挿入するように構成され、前記口の中で液化することが可能である、溶融可能な無煙タバコ組成物であって、前記タバコ組成物が、タバコ抽出物と、脂質とを含有する、無煙タバコ組成物。」
（相違点１）
　本願発明１の「脂質」は、無煙タバコ組成物について、「２９℃〜４９℃の融点を有する少なくとも３０乾燥重量％の脂質とを含有する」と特定しているのに対して、引用発明Ａの「脂質」は、その融点及び含有量が不明な点。
　イ　判断
　上記相違点１について検討すると、引用発明Ａにおいて使用し得る具体的な脂質とその融点について、引用文献１の開示をみるに、その段落００２８，００２９には、脂質について多くの選択肢が列挙されているものの、例えば熱帯油、バター、植物油、ショートニングという一般的な用語からは、具体的に使用する油脂名やその融点の数値範囲が定まらないことは明らかであるから、引用文献１の開示から本願発明１にいう２９℃〜４９℃の融点を有する特定の脂質が導き出されるとはいえない。
　そして、引用発明Ａにおいて設計し得る具体的な脂質の含有率について、引用文献１の開示をみるに、引用文献１の請求項１には、タバコ成分、香味料、充填剤−結合剤、甘味料、潤滑剤、流動促進剤の含有量の範囲又は上限が記載されているものの、引用文献１には、少なくとも３０乾燥重量％の脂質を含有させる点について明示的な記載はない。脂質以外の上述した各成分量を開示された範囲で低く設定すれば、計算上は脂質含有量が３０乾燥重量％以上となり得るものの、引用文献１の段落００５６、００５７に記載の脂質混合物を含浸又は注入する方法は、押圧作動後に圧縮タバコ製品を熱い脂質混合物を含有する油浴に置く方法であって、段落００５７の「このようにして冷却する時に、この脂質混合は、それ程深くは浸透することなく、その代わりにタバコマトリックスの表面上に魅力的で薄い滑らかなシェルを形成する。」という記載からも分かるとおり、含浸又は注入後の脂質量はかなり制限されたものとなることを勘案すると、引用文献１において、脂質の含有量が３０乾燥重量％以上になるとはいえないし、脂質の含有量を３０乾燥重量％以上とする動機付けもない。
　このことは、引用文献１の段落００５９、００６０に記載の脂質をスプレー又はコーティングをする方法についても同様である。
　以上のことを踏まえて総合的に検討すると、引用発明Ａにおいて、引用文献１の記載から、当業者が２９℃〜４９℃の融点を有する特定の脂質を選択し、かつ、無煙タバコ組成物に対してその含有量を３０乾燥重量％以上とする動機付けがなく、本願発明１は、引用発明Ａに基いて、当業者が容易に発明をすることができたものとはいえない。
（２）本願発明２〜１９について
　本願発明２〜１９は、本願発明１を直接的に又は間接的に引用する発明であり、本願発明１と同一の構成を備える以上、本願発明１と同じ理由により、本願発明２〜１９は、引用発明Ａに基いて、当業者が容易に発明をすることができたものとはいえない。
（３）本願発明２０について
　ア　対比
　本願発明２０と引用発明Ｂとを対比すると、次のことがいえる。
　引用発明Ｂにおける「経口摂取のための溶解可能圧縮タバコ製品を形成する組成物の製造方法」、「脂質」、「タバコ抽出物」は、本願発明２０における「使用者の口の中に挿入するために構成された溶融性無煙タバコ組成物を調製するためのプロセス」、「脂質」、「タバコ抽出物」にそれぞれ相当する。
　そうすると、本願発明２０と引用発明Ｂとの間には、次の一致点、相違点があるといえる。
（一致点）
　「脂質と、タバコ抽出物を含む、経口摂取のための溶解可能圧縮タバコ製品を形成する組成物の製造方法。」
（相違点２）
　本願発明２０は、「２９℃〜４９℃の融点を有する脂質を溶融して、溶融した脂質組成物を形成することと、前記溶融した脂質組成物とタバコ抽出物を混合して、溶融した無煙タバコ組成物を形成することと、前記溶融した無煙タバコ組成物を冷却して、固形化した無煙タバコ組成物を形成することとを含む」のに対して、引用発明Ｂは、タバコ抽出物においてそのような段階を含まず、粉砕または粉末状の少なくとも１つのタバコ成分を含む混合物（ａ）を圧縮して形成された圧縮タバコ製品に、少なくとも１つの脂質を注入する段階を含み、前記注入の段階とは、加熱段階の前に粉末状タバコ積層体及び少なくとも１つの脂質を含む混合物を形成して、当該混合物を加熱する段階と、前記混合物（ａ）は、加熱した当該混合物と乾燥配合される段階とを含むものであって、前記注入の段階を経て得られた配合物は冷却された後、前記組成物を形成する段階を含む点。
　イ　判断
　上記相違点２について検討すると、引用発明Ｂにおいて前記タバコ成分にタバコ抽出物を含有させるとしても、引用文献１にはタバコ抽出物をどのように処理するかについて特に記載はないので、粉砕または粉末状の少なくとも１つのタバコ成分を含む混合物（ａ）を圧縮して形成された圧縮タバコ製品に少なくとも１つの脂質を注入する上記段階に代えて、２９℃〜４９℃の融点を有する脂質を溶融して、溶融した脂質組成物を形成し、前記溶融した脂質組成物とタバコ抽出物を混合して、溶融した無煙タバコ組成物を形成し、前記溶融した無煙タバコ組成物を冷却して、固形化した無煙タバコ組成物を形成する動機付けがなく、単なる設計的な事項ともいえないので、本願発明２０は、引用発明Ｂに基いて、当業者が容易に発明をすることができたものとはいえない。
（４）本願発明２１〜２８について
　本願発明２１〜２８は、本願発明２０を直接的に又は間接的に引用する発明であり、本願発明２０と同一の構成を備える以上、本願発明２０と同じ理由により、本願発明２１〜２８は、引用発明Ｂに基いて、当業者が容易に発明をすることができたものとはいえない。
３．まとめ
　以上のとおり、本願発明１〜２８は、引用発明Ａ又は引用発明Ｂに基いて、当業者が容易に発明をすることができたものとはいえない。
　したがって、原査定を維持することはできない。
第７　むすび
　以上のとおり、原査定の理由及び当審により通知した拒絶理由によって、本願を拒絶することはできない。
　他に本願を拒絶すべき理由を発見しない。
　よって、結論のとおり審決する。